(57)【要約】      （修正有）【課題】湾曲ケースが操作の振動により緩んで外れる問題を回避する歯科用ハンドピースの固定構造を提供する。【解決手段】歯科用ハンドピースの固定構造は、ノーズ部１４が連設されている駆動組立部材１１と、駆動組立部材の外に覆設され、位置決め部材２４が設置されているスリーブ２１と、ケースで構成される。ケースは、フロントケース３２及びリアケース３３で構成され、フロントケースはスリーブの外に覆設され、リアケースはフロントケースの一端に取り外し可能に装設され、フロントケースには押し部材３６が設置され、押し部材は内側に向けて貫設されていると共に位置決め部材に当接し、位置決め部材を駆動組立部材の外周面１２１に対して締め付けることにより、フロントケース、スリーブ、及び駆動組立部材が相互に固定されるように組み立てられる。【選択図】図１
0003232155.tif 000002
【実用新案登録請求の範囲】
【請求項１】
一端にノーズ部が連設されている駆動組立部材と、
前記駆動組立部材の外に覆設され、位置決め部材が設置されているスリーブと、
湾曲する円筒状を呈しているフロントケース及び真っ直ぐな円筒状を呈しているリアケースを有し、前記フロントケースは前記スリーブの外に覆設され、前記駆動組立部材及び前記スリーブを被覆し、前記リアケースは前記フロントケースの前記ノーズ部に対して離間している一端に取り外し可能に装設され、且つ前記フロントケースには押し部材が設置され、前記押し部材は前記フロントケースの内部に向けて貫設されていると共に前記位置決め部材に当接し、前記位置決め部材を前記駆動組立部材に対して締め付けることにより、前記フロントケース、前記スリーブ、及び前記駆動組立部材が相互に固定されるように組み立てられるケースと、を備えていることを特徴とする歯科用ハンドピースの固定構造。
【請求項２】
前記駆動組立部材は外被及び前記外被中に貫設されている伝動軸で構成され、且つ前記スリーブには弾性片で構成されている位置決め部材が設置され、前記フロントケースは螺合孔が開設されている内壁を有し、前記螺合孔の開設方向は傾斜状を呈するように前記位置決め部材を指向し、且つ前記押し部材は前記螺合孔中に螺合することで前記押し部材の一端が前記位置決め部材に当接し、前記位置決め部材が前記外被の外周面に対して締め付けられることを特徴とする請求項１に記載の歯科用ハンドピースの固定構造。
【請求項３】
前記スリーブは円周壁を有し、前記スリーブは円周壁の内周面が前記駆動組立部材の外被に対応するように覆設され、且つ前記スリーブの円周壁にはほぼＵ字形を呈している溝部が開設され、前記スリーブは前記溝部により包囲された領域内に弾性部材形態を呈している位置決め部材が一体成形されていることを特徴とする請求項２に記載の歯科用ハンドピースの固定構造。
【請求項４】
前記駆動組立部材は外被及び前記外被中に貫設されている伝動軸で構成され、前記スリーブは円周壁を有し、前記スリーブの円周壁には前記スリーブの軸方向に沿って延伸している滑動溝が開設され、前記位置決め部材は前記滑動溝に内設されていると共に前記滑動溝に沿って滑動するスライダーで構成され、前記位置決め部材には少なくとも１つの貫通孔が開設され、且つ前記貫通孔にはボールが内設され、前記フロントケースは内壁を有し、且つ前記内壁には螺合孔が開設され、前記螺合孔の開設方向は傾斜状を呈するように前記位置決め部材を指向し、且つ前記押し部材が前記螺合孔に螺合することで前記押し部材の一端が前記位置決め部材に当接し、前記位置決め部材を押動して前記滑動溝に沿って滑動させ、前記位置決め部材にある鋼球が連動されて前記フロントケースの内壁と前記外被の外周面との間に対して締め付けられることを特徴とする請求項１に記載の歯科用ハンドピースの固定構造。
【請求項５】
前記位置決め部材は前記リアケースに向けられている裏面を有し、且つ前記裏面には前記ノーズ部の方向に向けて係合部が凹設され、前記フロントケースの螺合孔の開設方向は傾斜状を呈するように前記位置決め部材の係合部を指向し、且つ前記フロントケースは前記ボールに対する内壁に嵌合溝が設けられ、前記嵌合溝は前記ノーズ部に向けられている一端が傾斜面により前記フロントケースの内壁に連接され、前記押し部材が前記位置決め部材を押動して滑動させる際に、前記ボールが連動されて前記嵌合溝の傾斜面に係着し、前記位置決め部材にある鋼球が前記外被の外周面に対して締め付けられることを特徴とする請求項４に記載の歯科用ハンドピースの固定構造。
【請求項６】
前記フロントケースの内壁には前記螺合孔の近傍に位置している位置限定孔がさらに開設され、前記位置限定孔の開設方向は傾斜状を呈するように前記位置決め部材の裏面を指向し、位置限定部材は前記位置限定孔中に設置され、且つ前記位置限定部材の一端は前記フロントケースの内部に向けて貫設されていると共に前記位置決め部材の裏面に当接していることを特徴とする請求項５に記載の歯科用ハンドピースの固定構造。
【考案の詳細な説明】
【技術分野】
【０００１】
本考案は、歯科用ハンドピースの組立構造に関し、更に詳しくは、歯科用ハンドピースの固定構造に関する。
【背景技術】
【０００２】
従来の歯科用ハンドピースは手で把持して操作しやすいようにするため、通常はケースが一体成形される湾曲棒状に設計されているが、ケース中に装設されてノーズ部を作動するように駆動する伝動機構の配置が緊密になるため、湾曲棒状を呈しているケース内部に伝動機構を装設することが難しくなり、面倒であった。但し、湾曲ケース及び直立ケースを互いに連結して構成しているケースとして設計する場合、湾曲ケースと伝動機構の外被との間の係合の安定性を考慮せねばならず、湾曲ケースと伝動機構の外被との間の係合構造を再度設計し直さなければならなくなった。
【０００３】
そこで、本考案者は上記の欠点が改善可能と考え、鋭意研究した結果、簡単且つ高速に湾曲ケースを伝動機構の外被にある固定構造に安定的に位置決めし、湾曲ケースが操作の振動により緩んで外れる問題を回避することを見出した。
【考案の概要】
【考案が解決しようとする課題】
【０００４】
本考案は前記技術的課題に鑑みて開発されたものであり、歯科用ハンドピースの固定構造を提供することを目的とする。
【課題を解決するための手段】
【０００５】
上記課題を解決するために、本考案のある態様の歯科用ハンドピースの固定構造は、
一端にノーズ部が連設されている駆動組立部材と、
前記駆動組立部材の外に覆設され、位置決め部材が設置されているスリーブと、
湾曲する円筒状を呈しているフロントケース及び真っ直ぐな円筒状を呈しているリアケースを有し、前記フロントケースは前記スリーブの外に覆設され、前記駆動組立部材及び前記スリーブを被覆し、前記リアケースは前記フロントケースの前記ノーズ部に対して離間している一端に取り外し可能に装設され、且つ前記フロントケースには押し部材が設置され、前記押し部材は前記フロントケースの内部に向けて貫設されていると共に前記位置決め部材に当接し、前記位置決め部材を前記駆動組立部材に対して締め付けることにより、前記フロントケース、前記スリーブ、及び前記駆動組立部材が相互に固定されるように組み立てられるケースと、を備えている。
【０００６】
本考案の好適例において、前記駆動組立部材は外被及び前記外被中に貫設されている伝動軸で構成され、且つ前記スリーブには弾性片で構成されている位置決め部材が設置され、前記フロントケースは螺合孔が開設されている内壁を有し、前記螺合孔の開設方向は傾斜状を呈するように前記位置決め部材を指向し、且つ前記押し部材は前記螺合孔中に螺合することで前記押し部材の一端が前記位置決め部材に当接し、前記位置決め部材が前記外被の外周面に対して締め付けられる。
【０００７】
本考案の好適例において、前記駆動組立部材は外被及び前記外被中に貫設されている伝動軸で構成され、前記スリーブは円周壁を有し、前記スリーブの円周壁には前記スリーブの軸方向に沿って延伸している滑動溝が開設され、前記位置決め部材は前記滑動溝に内設されていると共に前記滑動溝に沿って滑動するスライダーで構成され、前記位置決め部材には少なくとも１つの貫通孔が開設され、且つ前記貫通孔にはボールが内設され、前記フロントケースは内壁を有し、且つ前記内壁には螺合孔が開設され、前記螺合孔の開設方向は傾斜状を呈するように前記位置決め部材を指向し、且つ前記押し部材が前記螺合孔に螺合することで前記押し部材の一端が前記位置決め部材に当接し、前記位置決め部材を押動して前記滑動溝に沿って滑動させ、前記位置決め部材にある鋼球が連動されて前記フロントケースの内壁と前記外被の外周面との間に対して締め付けられる。
【０００８】
本明細書及び図面の記載により、少なくとも、以下の事項が明らかとなる。
【図面の簡単な説明】
【０００９】
【図１】本考案の第１実施形態による歯科用ハンドピースの固定構造を示す分解概略図である。
【図２】本考案の第１実施形態のスリーブを示す外観概略図である。
【図３】本考案の第１実施形態の組立完了を示す断面概略図である。
【図４】本考案の第１実施形態の締付状態を示す部分拡大概略図である。
【図５】本考案の第２実施形態による歯科用ハンドピースの固定構造を示す分解概略図である。
【図６】本考案の第２実施形態の組立完了を示す断面概略図である。
【図７】本考案の第２実施形態の締付する状態を示す部分拡大概略図である。
【図８】本考案の第２実施形態の締付した状態を示す部分拡大概略図である。
【考案を実施するための形態】
【００１０】
以下、本開示の実施形態について図面を用いて説明する。なお、本開示は、下記の実施形態に何ら限定されることはなく、本開示の技術的範囲に属する限り種々の形態を採りうる。
［第１実施形態］
【００１１】
本考案の第１実施形態による歯科用ハンドピースの固定構造を図１から図４に示す。主に駆動組立部材１１、スリーブ２１、及びケース３１で構成されている。
【００１２】
前記駆動組立部材１１は外被１２及び前記外被１２に貫設されている伝動軸１３で構成され、且つ前記外被１２の一端には歯科用器具（図示省略）を装設するためのノーズ部１４が連設されている。前記伝動軸１３は第一端１３１及び前記第一端１３１の反対にある第二端１３２を有し、前記伝動軸１３は第一端１３１により前記ノーズ部１４に連結し、前記伝動軸１３の第二端１３２は前記外被１２の他端から外に向けて延出している。
【００１３】
前記スリーブ２１は中空の筒状を呈していると共に円周壁２２を有し、前記スリーブ２１は円周壁２２の内周面が前記駆動組立部材１１の外被１２に対応するように覆設され、且つ前記スリーブ２１の円周壁２２にほぼＵ字形を呈している溝部２３が開設され、前記スリーブ２１は前記溝部２３により包囲された領域内に弾性部材形態を呈している位置決め部材２４が一体成形されている。
【００１４】
前記ケース３１は湾曲する円筒状を呈しているフロントケース３２及び真っ直ぐな円筒状を呈しているリアケース３３が相互に結合することにより構成され、前記フロントケース３２は前記スリーブ２１の外に覆設され、前記駆動組立部材１１及び前記スリーブ２１を被覆している。前記フロントケース３２は前記ノーズ部１４に対して離間している開口部３２１を有し、前記リアケース３３の一端は前記フロントケース３２の開口部３２１に取り外し可能に装設されている。前記リアケース３３には駆動組立部材３４が内設され、前記駆動組立部材３４は駆動歯車ディスク３４１が前記伝動軸１３の第二端１３２に連結され、前記駆動組立部材３４の駆動歯車ディスク３４１が駆動されて回転すると、前記駆動組立部材１１の伝動軸１３も同期で回転するように連動される。前記フロントケース３２は内部に内壁３５を有し、前記内壁３５にはねじ穴で構成されている螺合孔３５１が開設され、前記螺合孔３５１の開設方向は傾斜状を呈するように前記スリーブ２１の位置決め部材２４を指向している。ボルトで構成されている押し部材３６は前記螺合孔３５１に螺合し、前記押し部材３６を螺合することにより前記押し部材３６の一端が前記フロントケース３２の内部に向けて貫設されると共に前記位置決め部材２４に当接し、弾性部材形態を呈している位置決め部材が前記駆動組立部材１１の外被１２の外周面１２１に対して締め付けられる。
【００１５】
図４を参照すれば、上述の構造で構成されている本考案の第１実施形態を実際に使用する場合、ユーザーは前記フロントケース３２内に位置している押し部材３６を螺合することにより、前記位置決め部材２４が前記押し部材３６の圧迫を受けて前記外被１２の外周面１２１に緊密に貼付される。これにより、前記フロントケース３２、前記スリーブ２１、及び前記駆動組立部材１１の外被１２を互いに緊結させる方式により、相互に固定して組み立てることで、ユーザーがより簡単に装設して固定することができるようになり、且つフロントケース３２が操作の振動により緩んで外れる問題を有効的に回避している。
［第２実施形態］
【００１６】
また、図５乃至図８は本考案に係る歯科用ハンドピースの固定構造の第２実施形態を図示し、上述の第１実施形態との差異は、位置決め部材の構造形態がやや異なる点である。この第２実施形態では、前記スリーブ２１の円周壁２２には前記スリーブ２１の軸方向に沿って延伸している滑動溝２３ｂが開設され、位置決め部材４１は前記滑動溝２３ｂに内設されていると共に前記滑動溝２３ｂに沿って滑動するスライダーで構成されている。前記位置決め部材４１には少なくとも１つの貫通孔４２が開設され、且つ前記貫通孔４２にはボール４３が内設されている。前記位置決め部材４１は前記リアケース３３に向けられている裏面４１１を有し、且つ前記裏面４１１の中央位置には前記ノーズ部１４の方向に向けて係合部４１２が凹設されている。前記フロントケース３２の螺合孔３５１の開設方向は傾斜状を呈するように前記位置決め部材４１の係合部４１２を指向し、前記螺合孔３５１に螺合している押し部材３６の一端が前記フロントケース３２の内部に向けて貫設されると共に前記位置決め部材４１の係合部４１２に当接する。前記フロントケース３２の前記ボール４３に対する内壁３５には嵌合溝３５２が凹設され、前記嵌合溝３５２は前記ノーズ部１４に向けられている一端が傾斜面３５３により前記フロントケース３２の内壁３５に連接される。図７及び図８に示すように、前記押し部材３６を螺合すると、前記押し部材３６の一端が前記位置決め部材４１を押動して前記滑動溝２３ｂに沿って前記ノーズ部１４の方向に向けて滑動させ、且つ前記ボール４３が前記嵌合溝３５２の傾斜面３５３に係着するように連動される。前記押し部材３６の押圧及び前記傾斜面３５３の当接により、前記位置決め部材４１にある鋼球４３が前記外被１２の外周面１２１にある傾斜部１２２と前記フロントケース３２の嵌合溝３５２にある傾斜面３５３との間に対して締め付けられる。同様に前記フロントケース３２、前記スリーブ２１、及び前記駆動組立部材１１の外被１２を互いに緊結させる方式により、相互に固定して組み立てることで、同様にユーザーがより簡単に装設して固定することができるようになり、且つフロントケース３２が操作の振動により緩んで外れる問題を有効的に回避している。
【００１７】
また、本実施例では、図５乃至図８を併せて参照し、前記フロントケース３２の内壁３５には前記螺合孔３５１の近傍に位置している位置限定孔３５４がさらに開設されている。前記位置限定孔３５４も同様にねじ穴で構成され、且つ前記位置限定孔３５４の開設方向は傾斜状を呈するように前記位置決め部材４１の裏面４１１を指向し、ボルトで構成されている位置限定部材３７は前記位置限定孔３５４に螺合している。前記位置限定部材３７の一端は前記フロントケース３２の内部に向けて貫設されていると共に前記位置決め部材４１の裏面４１１に当接している。これにより、前記位置限定部材３７の螺合位置を調整することにより、調整可能であり且つ前記位置決め部材４１の後方移動行程を制限する効果を有している。
【００１８】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００１９】
１１  駆動組立部材
１２  外被
１２１  外周面
１２２  傾斜部
１３  伝動軸
１３１  第一端
１３２  第二端
１４  ノーズ部
２１  スリーブ
２２  円周壁
２３  溝部
２３ｂ  滑動溝
２４  位置決め部材
３１  ケース
３２  フロントケース
３２１  開口部
３３  リアケース
３４  駆動組立部材
３４１  駆動歯車ディスク
３５  内壁
３５１  螺合孔
３５２  嵌合溝
３５３  傾斜面
３５４  位置限定孔
３６  押し部材
３７  位置限定部材
４１  位置決め部材
４２  貫通孔
４３  ボール
４１１  裏面
４１２  係合部
【図１】
0003232155.tif 000003
【図２】
0003232155.tif 000004
【図３】
0003232155.tif 000005
【図４】
0003232155.tif 000006
【図５】
0003232155.tif 000007
【図６】
0003232155.tif 000008
【図７】
0003232155.tif 000009
【図８】
0003232155.tif 000010